(57)【特許請求の範囲】
【請求項１】
光源と、この光源を収納し、光源からの光を頭部の発光窓から発するポールと、前記光源とこの光源に電力を供給する電源との間を接続する電線とを具備しており、前記ポールは、下側ポールと、この下側ポールに連結され、下側ポールに対して伸縮可能になった上側ポールとを有しており、前記電線は、スパイラル状のもの以外であり、ポールの高さの変更に対応できるだけの余裕のある長さに設定されているとともに、一部に重りが取り付けられ、この重りより下方でポールに対して固定されていることを特徴とする高さ可変型スノーポール。
【発明の詳細な説明】
【０００１】
【発明の属する技術分野】
本発明は、高さ可変型スノーポールに関する。
【０００２】
【従来の技術】
スノーポールとは、雪国の道路脇に一定間隔で設置され、積雪があった場合でも光源からの光が発せられるポールの頭部は雪に埋もれないようにしたものであるこのスノーポールは、光源と、この光源を収納し、光源からの光を頭部の発光窓から発するポールとを有している。かかるスノーポールは積雪のある道路の路肩を示すものである。
【０００３】
また、中央分離帯にも同様のスノーポールが設置されている。
【０００４】
【発明が解決しようとする課題】
しかしながら、このスノーポールが設置されるような場所は、吹雪が発生しやすい場所でもあるため、ポールの高さは積雪により埋もれないような寸法、例えば２．５ｍに設定されている。このため、降雪のない夏季等においては、走行する車両の乗員にとっては路肩や中央分離帯に立ったスノーポールは目障りなものとなっていた。しかし、スノーポールのポールの高さを夏季等において目障りにならないようなものにすると、降雪時には埋もれてしまうため、どうしても積雪量を基準とした高いものにならざるをえないのである。
【０００５】
本発明は上記事情に鑑みて創案されたものであって、高さを可変とすることによって、降雪のない夏季等においては目障りにならず、降雪のある冬季においては積雪によって埋もれないような高さ可変型スノーポールを提供することを目的としている。
【０００６】
【課題を解決するための手段】
本発明に係る高さ可変型スノーポールは、光源と、この光源を収納し、光源からの光を頭部の発光窓から発するポールと、前記光源とこの光源に電力を供給する電源との間を接続する電線とを備えており、前記ポールは、下側ポールと、この下側ポールに連結され、下側ポールに対して伸縮可能になった上側ポールとを有しており、前記電線は、スパイラル状のもの以外であり、ポールの高さの変更に対応できるだけの余裕のある長さに設定されているとともに、一部に重りが取り付けられ、この重りより下方でポールに対して固定されている。
【０００７】
【発明の実施の形態】
図１は本発明の実施の形態に係る高さ可変型スノーポールを最も高くした状態の概略的断面図、図２は本発明の実施の形態に係る高さ可変型スノーポールを最も低くした状態の概略的断面図、図３は本発明の実施の形態に係る高さ可変型スノーポールにおける固定手段を示す概略的断面図である。
【０００  】
図１乃至図３を参照しつつ、本発明の実施の形態に係る高さ可変型スノーポール１００Ｃについて説明する。
【０００  】
本発明の実施の形態に係る高さ可変型スノーポール１００Ｃは、図１及び図２に示すように、光源１１０Ｃと、この光源１１０Ｃを収納し、光源１１０Ｃからの光を上側ポール１２２Ｃの発光窓１３０Ｃから発するポール１２０Ｃとを備えており、前記ポール１２０Ｃは、地面ＧＬに固定される下側ポール１２４Ｃと、この下側ポール１２４Ｃに連結され、下側ポール１２４Ｃに対して伸縮可能になった上側ポール１２２Ｃとを有している。
【０００  】
前記光源１１０Ｃは、複数個の発光ダイオードランプ１１１Ｃと、この発光ダイオードランプ１１１Ｃが実装された基板１１２Ｃとから構成される。
【０００  】
前記下側ポール１２４Ｃは、両端が開放された丸パイプである。この下側ポール１２４Ｃの下端部には前記地面ＧＬに固定するためのフランジ部１６３Ｃが形成されている。また、この下側ポール１２４Ｃの上端部は、図１等に示すように、外周面がなだらかに細くなっている。これは、上側ポール１２２Ｃとの間で段差を形成しないようにするためである。もし、下側ポール１２４Ｃと上側ポール１２２Ｃとの間に段差があれば、降雪があった場合にその段差に雪が付着し、場合によっては上側ポール１２２Ｃの発光窓１３０Ｃを覆ってしまうためである。段差がなければ、発光窓１３０Ｃが雪によって覆われるおそれを減少させることができる。
【０００  】
また、この下側ポール１２４Ｃの上端部の内側には、上側突出部１６１Ｃが形成されている。この上側突出部１６１Ｃは、後述する上側ポール１２２Ｃのフランジ部１６０Ｃと対応して、上側ポール１２２Ｃが下側ポール１２４Ｃから抜けないようにするためのものである。
【０００  】
さらに、この下側ポール１２４Ｃの中腹部の内側には、下側突出部１６２Ｃが形成されている。この下側突出部１６２Ｃは、上側ポール１２２Ｃが下側ポール１２４Ｃに沈み込んで最も低くなった場合に、上側ポール１２２Ｃのフランジ部１６０Ｃと対応して、上側ポール１２２Ｃがそれ以上、下側ポール１２４Ｃに沈み込まないようにするためのものである。なお、最も低くなったとしても、上側ポール１２２Ｃに形成されている発光窓１３０Ｃは、下側ポール１２４Ｃから突出していることは勿論である。
【０００  】
また、ポール１２０Ｃを構成する上側ポール１２２Ｃの上端側の周面には開口１２８Ｃが形成されている。しかも、その開口１２８Ｃには透光性を有するカバー１２９Ｃが水密、気密に嵌め込まれている。このカバー１２９Ｃが嵌め込まれた開口１２８Ｃが発光窓１３０Ｃとなるのである。前記光源１１０Ｃは、発光ダイオードランプ１１１Ｃがこの発光窓１３０Ｃに正対するようにして上側ポール１２２Ｃに収納されている。
【０００  】
前記上側ポール１２２Ｃは、上端が閉塞された丸パイプである。この上側ポール１２２Ｃの下端部には、上側ポール１２２Ｃが下側ポール１２４Ｃから抜けないようにするためのフランジ部１６０Ｃが形成されている。すなわち、このフランジ部１６０Ｃは、前記下側ポール１２４Ｃの上側突出部１６１Ｃと対応する部分である。
【０００  】
前記下側ポール１２４Ｃの内径は、上側ポール１２２Ｃのフランジ部１６０Ｃの外径より若干大きく設定されている。従って、上側ポール１２２Ｃは、下側ポール１２４Ｃの内側に入り込むことができるようになっている。
【０００  】
かかる下側ポール１２４Ｃと上側ポール１２２Ｃとの間には、図３に示すように、上側ポール１２２Ｃの下側ポール１２４Ｃに対して固定するための固定手段１７０Ｃが設けられている。この固定手段１７０Ｃとしては、下側ポール１２４Ｃの周面に貫通して開設された雌ねじ１７１Ｃと、この雌ねじ１７１Ｃに噛合する雄ねじ１７２Ｃとがある。すなわち、前記雄ねじ１７２Ｃを雌ねじ１７１Ｃに螺合させることによって、雄ねじ１７２Ｃの先端が上側ポール１２２Ｃの外周面に圧接され、これによって上側ポール１２２Ｃが下側ポール１２４Ｃに固定されるのである。
【０００  】
例えば、最も高くなった状態を考慮すると、図１に示すように、前記雌ねじ１７１Ｃは上側ポール１２２Ｃのフランジ部１６０Ｃに対向する位置に設ける必要がある。この位置に雌ねじ１７１Ｃを設けておけば、最も低くなった状態でも対応することが可能である。また、この雌ねじ１７１Ｃは一箇所だけではなく、複数箇所に設けると、上側ポール１２２Ｃを下側ポール１２４Ｃに対してより強固に固定することができるので望ましい。
【０００  】
また、前記光源１１０Ｃと電源としてのトランス１８０Ｃとの間は、スパイラル状以外の、すなわち通常の電線１４０Ｃで接続されている。すなわち、この高さ可変型スノーポール１００Ｃは、上側ポール１２２Ｃが下側ポール１２４Ｃに対して伸縮するため、最も高くなった場合でも、最も低くなった場合でも光源１１０Ｃとトランス１８０Ｃとの間の電気的接続を確保することが必要になるためである。従って、この電線１４０Ｃは、ポール１２０Ｃの高さの変更に対応できるだけの余裕のある長さに設定されている電線である。
【０００  】
なお、この電線１４０Ｃは、高さ可変型スノーポール１００Ｃを最も低くした状態では最も縮んだ状態となり、高さ可変型スノーポール１００Ｃを最も高くした状態では最も伸びた状態となるようになっている。
【０００  】
なお、前記電線１４０Ｃの一部１４１Ｃを下側ポール１２４Ｃの内面に固定するとともに、固定された部分より上側において重り１４２Ｃを付けておき、電線１４０Ｃはこの重り１４２Ｃが付けられた部分から必ず折れ曲がるようにする。この重り１４２Ｃを付けた電線１４０Ｃは、ポール１２０Ｃの高さの変更に対応できるだけの余裕のある長さに設定されている電線である。
【０００  】
かかる高さ可変型スノーポール１００Ｃの下側ポール１２４Ｃと上側ポール１２２Ｃとの高さ寸法は、この高さ可変型スノーポール１００Ｃが設置される場所の積雪量と道路から除雪される雪の量とに応じてその長さが決定されている。最も高くした場合には、除雪された道路上の雪が積み上げられても、少なくとも発光窓１３０Ｃがある位置にまでは達することがないように設定されている。
【０００  】
降雪のある冬季には、図１に示すように、上側ポール１２２Ｃを最も伸ばして、すなわち高さ可変型スノーポール１００Ｃの高さを最も高くして使用する。すると、積雪があっても、発光窓１３０Ｃは積雪に埋もれることはない。また、降雪のない夏季等にあっては、図２に示すように、上側ポール１２２Ｃを最も縮めて、すなわち高さ可変型スノーポール１００Ｃの高さを最も低くして使用する。すると、走行する車両の乗員にとって目障りになることがない。
【０００  】
なお、上述した実施の形態に係る高さ可変型スノーポール１００Ｃでは、光源１１０Ｃに発光ダイオードランプ１１１Ｃを使用したが、それ以外のものであってもよいことは勿論である。
【０００  】
【発明の効果】
本発明に係る高さ可変型スノーポールは、光源と、この光源を収納し、光源からの光を頭部の発光窓から発するポールと、前記光源とこの光源に電力を供給する電源との間を接続する電線とを具備しており、前記ポールは、下側ポールと、この下側ポールに連結され、下側ポールに対して伸縮可能になった上側ポールとを有しており、前記電線は、ポールの高さの変更に対応できるだけの余裕のある長さに設定されているとともに、一部に重りが取り付けられ、この重りより下方でポールに対して固定されている。
【０００  】
従って、この高さ可変型スノーポールであれば、降雪のある冬季には、頭部を最も伸ばして、上側ポールを下側ポールに対して最も長く伸ばすことで最も高くして使用する。すると、積雪があっても、発光窓は積雪に埋もれることはない。また、降雪のない夏季等にあっては、上側ポールを下側ポールに対して最も短く縮めることで、すなわち高さ可変型スノーポールの高さを最も低くして使用する。すると、走行する車両の乗員にとって目障りになることがない。
【０００  】
特に、前記高さ可変型スノーポールにおいては、前記光源と、この光源に電力を供給する電源との間を接続する電線は、ポールの高さの変更に対応できるだけの余裕のある長さに設定されている。
【０００  】
このため、ポールの高さを変更しても、光源と電源との間の電気的接続は確実に確保されるのである。
【０００  】
さらに、前記ポールには、光源に電力を供給する電源が内蔵されており、この電線と前記光源とがスパイラル状の電線以外の電線で接続されており、電線の一部に重りを付けている。
【０００  】
かかる電線であると、高さ可変型スノーポールを最も低くした場合に、内部において電線が絡まったりそれに起因する断線等の問題が発生しにくい。
【図面の簡単な説明】
【図１】  本発明の実施の形態に係る高さ可変型スノーポールを最も高くした状態の概略的断面図である。
【図２】  本発明の実施の形態に係る高さ可変型スノーポールを最も低くした状態の概略的断面図である。
【図３】  本発明の実施の形態に係る高さ可変型スノーポールにおける固定手段を示す概略的断面図である。
【符号の説明】
１００Ｃ    高さ可変型スノーポール
１２０Ｃ    ポール
１３０Ｃ    発光窓
【図１】
0003793458.tif 000002
【図２】
0003793458.tif 000003
【図３】
0003793458.tif 000004